(57)【要約】【課題】  小型化に適したバランスフィルタを提供する。【解決手段】  不平衡側の共振電極を構成するストリップライン共振器ＳＬ１ａおよびＳＬ１ｂと、該不平衡側ストリップラインに隣接対向して設けられた平衡側の共振電極を構成するストリップライン共振器ＳＬ２ａおよびＳＬ２ｂと、該平衡側ストリップラインに隣接対向して設けられた段数構成共振電極を構成するストリップライン共振器ＳＬ３ａおよびＳＬ３ｂと、平衡側の共振電極と段数構成共振電極とを結合するインピーダンス素子Ｚとでバランスフィルタを構成する。【選択図】  図１
2006108814.tif 000002
【特許請求の範囲】
【請求項１】
不平衡側共振電極と平衡側共振電極とを備えたバランスフィルタにおいて、
前記不平衡側共振電極および／または前記平衡側共振電極に対してコムライン配置された段数構成共振電極を備えたことを特徴とするバランスフィルタ。
【請求項２】
不平衡側共振電極と平衡側共振電極とを備えたバランスフィルタにおいて、
前記平衡側共振電極とインピーダンス素子を介して結合された段数構成共振電極を備えたことを特徴とするバランスフィルタ。
【請求項３】
前記段数構成共振電極と前記不平衡側共振電極との間に形成されたマルチパス結合を有することを特徴とする請求項２記載のバランスフィルタ。
【請求項４】
前記不平衡側共振電極と前記平衡側共振電極との結合部は、λ／４長を有するストリップラインで形成され、前記段数構成共振電極はλ／４とは異なる長さのストリップラインで形成されたことを特徴とする請求項２記載のバランスフィルタ。
【請求項５】
不平衡側共振電極と平衡側共振電極とを備えたバランスフィルタにおいて、
前記不平衡側共振電極および／または平衡側共振電極に隣接して配置された段数構成共振電極を備え、
前記不平衡側共振電極と前記平衡側共振電極とが互いに隣接して配置されたことを特徴とするバランスフィルタ。
【請求項６】
不平衡側共振電極と平衡側共振電極とを備えたバランスフィルタにおいて、
前記不平衡側共振電極または前記平衡側共振電極に対向して配置された段数構成共振電極を備え、
前記不平衡側共振電極と前記平衡側共振電極とが互いに対向して配置されたことを特徴とするバランスフィルタ。
【請求項７】
不平衡側共振電極と平衡側共振電極とを備えたバランスフィルタにおいて、
前記不平衡側共振電極および／または前記平衡側共振電極に隣接して配置された段数構成共振電極を備え、
前記不平衡側共振電極と前記平衡側共振電極と前記段数構成共振電極は、いずれもストリップラインで形成されたことを特徴とするバランスフィルタ。
【請求項８】
第１の誘電体層上に形成された不平衡側共振電極と第２の誘電体層上に形成された平衡側共振電極とを第３および第４の誘電体層上にそれぞれ形成された一対のＧＮＤ電極で挟持してストリップライン構造を構成したバランスフィルタにおいて、
第５の誘電体層上に形成された段数構成共振電極を備え、
前記不平衡側共振電極と前記平衡側共振電極とが互いに対向して配置されるとともに、前記平衡側共振電極と前記段数構成共振電極とが互いに対向して配置されたことを特徴とするバランスフィルタ。
【請求項９】
第６の誘電体層上に形成された結合電極をさらに備え、該結合電極が前記平衡側共振電極と前記段数構成共振電極との間に配置されたことを特徴とする請求項８記載のバランスフィルタ。
【請求項１０】
第６の誘電体層上に形成されたＤＣ電極をさらに備え、該ＤＣ電極が前記段数構成共振電極と前記ＧＮＤ電極との間に配置されたことを特徴とする請求項８記載のバランスフィルタ。
【発明の詳細な説明】
【技術分野】
【０００１】
この発明は、不平衡−平衡の信号変換を行うバランの機能と、帯域制御行うフィルタの機能とを兼ね備えたバランスフィルタに関し、特に、小型化に有効なバランスフィルタに関する。
【背景技術】
【０００２】
無線通信機器は、アンテナ、フィルタ、ＲＦスイッチ、パワーアンプ、ＲＦ−ＩＣ、バラン等の各種高周波素子によって構成される。ここで、アンテナやフィルタ等の共振素子は、接地電位を基準とした不平衡型の信号を扱うが、高周波信号の生成や処理を行うＲＦ−ＩＣは、平衡型の信号を扱うため、両者を接続する場合には、非平衡−平衡変換器として機能するバランが使用される。
【０００３】
この種のバランとしては、例えば下記特許文献に示された構成が知られている。
【特許文献１】特開２０００−１３４００９号公報
【特許文献２】特開２００１−３６３１０号公報  これらの特許文献に開示されたバランは、不平衡線路と平衡線路との結合を結合線路を介して行うタイプのバランであり、その構造は、特許文献２の図３に開示されたように、不平衡線路と平衡線路とを一の基板上に形成するとともに、結合線路を他の基板上に形成し、不平衡線路と平衡線路の両方に結合線路を重ねることで、不平衡線路と平衡線路とを結合させた構造を有する。
【０００４】
このように構成されたバランの結合モードは、特許文献２の図８および段落００１６で説明されているように、「不平衡信号端子３から入力した不平衡信号は、第１結合線路１０１、第２結合線路１０２、第３結合線路１０３とこの順に伝搬」するモードとなる。
【０００５】
しかし、この特許文献１および２に記載されたバランの構造では、得られる周波数特性が特許文献２の図４に示された特性となるため、バランとしては使用に耐え得るがフィルタに要求される帯域特性を確保することは困難である。
【０００６】
一方、近年では、バランとフィルタを一体化させたバランスフィルタも多数考案されており、無線通信機器の小型化が図られている。この種のバランスフィルタとしては、例えば下記特許文献に示された構成が知られている。
【特許文献３】特開２００３−０８７００８号公報  この特許文献３に開示されたバランスフィルタは、１／４波長の共振器を用いて設計されたフィルタとバランが誘電体基板上で実現された構造を有し、フィルタを構成する誘電体層とバランを構成する誘電体層が積層されて一体形成される。
【０００７】
また、同文献には、ＲＦ−ＩＣがＤＣ成分に重畳された平衡信号を要求する場合に対応すべく、バランの内部にＤＣ電源層を内層した構造が開示されており、さらなる小型化が図られている。
【０００８】
しかし、このように、バラン部とフィルタ部を別々に形成して一体化させる構造では、高減衰のフィルタ機能が求められる場合に、フィルタ部を多段化することが必要になるため、限られたスペースの中での設計自由度が確保できなくなり、小型化が非常に困難である。
【発明の開示】
【発明が解決しようとする課題】
【０００９】
そこで、本発明では、高減衰と小型化に有効なバランスフィルタを提供することを目的とする。
【課題を解決するための手段】
【００１０】
上記目的を達成するため、請求項１記載の発明は、不平衡側共振電極と平衡側共振電極とを備えたバランスフィルタにおいて、前記不平衡側共振電極および／または前記平衡側共振電極に対してコムライン配置された段数構成共振電極を備えたことを特徴とする。
【００１１】
このように、バランを構成する共振電極に対して、別の共振電極をコムライン配置することで、共振器の一部が共用された状態でバランとフィルタが同時に構成されるため、簡易な構造でバランの信号変換機能とフィルタの帯域制御効果を得ることができる。ここで、コムライン配置とは、各共振電極の短絡端が同方向となる配置を意味する。
【００１２】
また、請求項２記載の発明は、不平衡側共振電極と平衡側共振電極とを備えたバランスフィルタにおいて、前記平衡側共振電極とインピーダンス素子を介して結合された段数構成共振電極を備えたことを特徴とする。
【００１３】
このように、平衡側共振電極と段数構成共振電極とをインピーダンス素子を介して結合させることで、フィルタとしての帯域制御効果を持たせることが可能になる。ここで、インピーダンス素子は、容量性でも誘導性でも良く、平衡側共振電極と段数構成共振電極とを誘電体を介して対向配置することで容量結合させた構成や、平衡側共振電極と段数構成共振電極とをインダクタンス成分を有する線路で結合させた構成を取ることが可能である。
【００１４】
また、請求項３記載の発明は、請求項２記載の発明において、前記段数構成共振電極と前記不平衡側共振電極との間に形成されたマルチパス結合を有することを特徴とする。
【００１５】
このように、マルチパス結合を形成することで、得られるフィルタ特性に第２、第３の極を加えることが可能になるため、より急峻なフィルタ機能を持たせることができる。ここで、マルチパス結合とは、ある電極と別の電極との間に形成される容量性または誘導性の結合パスを意味する。
【００１６】
また、請求項４記載の発明は、請求項２記載の発明において、前記不平衡側共振電極と前記平衡側共振電極との結合部は、λ／４長を有するストリップラインで形成され、前記段数構成共振電極はλ／４とは異なる長さのストリップラインで形成されたことを特徴とする。
【００１７】
このように、段数構成共振電極をλ／４とは異なる長さのストリップラインで形成することで、この段数構成共振電極の長さを変化させた内層インピーダンス調整を実現することが可能になる。
【００１８】
また、請求項５記載の発明は、不平衡側共振電極と平衡側共振電極とを備えたバランスフィルタにおいて、前記不平衡側共振電極および／または平衡側共振電極に隣接して配置された段数構成共振電極を備え、前記不平衡側共振電極と前記平衡側共振電極とが互いに隣接して配置されたことを特徴とする。
【００１９】
このように構成することで、簡易な構造でバランとフィルタの両方の機能を備えたバランスフィルタが得られる。ここで、段数構成共振電極は、不平衡側共振電極と平衡側共振電極のいずれか一方または両方に隣接させて配置しても良く、望ましくは、平衡側共振電極に隣接して配置することで高減衰のフィルタ効果が得られる構成とする。
【００２０】
また、請求項６記載の発明は、不平衡側共振電極と平衡側共振電極とを備えたバランスフィルタにおいて、前記不平衡側共振電極または前記平衡側共振電極に対向して配置された段数構成共振電極を備え、前記不平衡側共振電極と前記平衡側共振電極とが互いに対向して配置されたことを特徴とする。
【００２１】
このように構成することで、簡易な構造でバランとフィルタの両方の機能を備えたバランスフィルタが得られる。ここで、段数構成共振電極は、不平衡側共振電極と平衡側共振電極のいずれか一方または両方に対向させて配置しても良く、望ましくは、平衡側共振電極に対向して配置することで高減衰のフィルタ効果が得られる構成とする。尚、段数構成共振電極の対向は全対向であっても部分対向であっても良い。
【００２２】
また、請求項７記載の発明は、不平衡側共振電極と平衡側共振電極とを備えたバランスフィルタにおいて、前記不平衡側共振電極および／または前記平衡側共振電極に隣接して配置された段数構成共振電極を備え、前記不平衡側共振電極と前記平衡側共振電極と前記段数構成共振電極は、いずれもストリップラインで形成されたことを特徴とする。
【００２３】
このように構成することで、各共振電極間で生じる電磁界結合が有効に利用されるため、簡易な構造でバランとフィルタの両方の機能を備えたバランスフィルタが得られる。
【００２４】
また、請求項８記載の発明は、第１の誘電体層上に形成された不平衡側共振電極と第２の誘電体層上に形成された平衡側共振電極とを第３および第４の誘電体層上にそれぞれ形成された一対のＧＮＤ電極で挟持してストリップライン構造を構成したバランスフィルタにおいて、第５の誘電体層上に形成された段数構成共振電極を備え、前記不平衡側共振電極と前記平衡側共振電極とが互いに対向して配置されるとともに、前記平衡側共振電極と前記段数構成共振電極とが互いに対向して配置されたことを特徴とする。
【００２５】
このように構成することで、共振電極が部分的に共有された状態でバランとフィルタが同時に形成されるため、簡易な構造でバランとフィルタの両方の機能を備えたバランスフィルタが得られる。
【００２６】
また、請求項９記載の発明は、請求項８記載の発明において、第６の誘電体層上に形成された結合電極をさらに備え、該結合電極が前記平衡側共振電極と前記段数構成共振電極との間に配置されたことを特徴とする。
【００２７】
このように構成することで、積層構造を利用した平衡側共振電極と段数構成共振電極との結合が可能になるため、小型構造で好適なフィルタの帯域制御効果を得ることができる。
【００２８】
また、請求項１０記載の発明は、請求項８記載の発明において、第６の誘電体層上に形成されたＤＣ電極をさらに備え、該ＤＣ電極が前記段数構成共振電極と前記ＧＮＤ電極との間に配置されたことを特徴とする
このように構成することで、積層構造を利用したＤＣ供給ラインの内層化が可能になるため、小型構造でＤＣ供給ラインを備えたバランスフィルタを提供することができる。
【００２９】
以上説明したように、本発明によれば、小型構造で高減衰のバランスフィルタを提供することが可能になる。
【発明を実施するための最良の形態】
【００３０】
以下、本発明の実施形態を添付図面を参照して詳細に説明する。尚、本発明は、以下説明する実施形態に限らず適宜変更可能である。
【００３１】
図１は、本実施形態に係るバランスフィルタの特徴を示す等価回路図である。同図に示すように、本実施形態に係るバランスフィルタは、不平衡側の共振電極を構成するストリップライン共振器ＳＬ１ａおよびＳＬ１ｂと、平衡側の共振電極を構成するストリップライン共振器ＳＬ２ａおよびＳＬ２ｂと、段数構成共振電極を構成するストリップライン共振器ＳＬ３ａおよびＳＬ３ｂと、平衡側の共振電極と段数構成共振電極とを結合するインピーダンス素子Ｚで構成される。
【００３２】
不平衡側共振電極ＳＬ１ａおよびＳＬ１ｂは、それぞれλ／４ストリップラインで形成され、同図に示すように該各ストリップラインの一端で相互に接続される。そして、不平衡側共振電極ＳＬ１ａの他端が不平衡端子Ｚ<SUB>ＵＢ</SUB>に接続されるとともに、不平衡側共振電極ＳＬ１ｂの他端が開放端として構成される。
【００３３】
平衡側共振電極ＳＬ２ａおよびＳＬ２ｂは、それぞれ片端短絡型のλ／４ストリップラインで形成され、同図に示すように、不平衡側共振電極ＳＬ１ａおよびＳＬ１ｂとそれぞれ隣接して配置される。
【００３４】
段数構成共振電極ＳＬ３ａおよびＳＬ３ｂは、それぞれ片端短絡型のストリップラインで形成され、同図に示すように、平衡側共振電極ＳＬ２ａおよびＳＬ２ｂとそれぞれ隣接して配置される。この段数構成共振電極ＳＬ３ａおよびＳＬ３ｂの長さは、λ／４を基本としてインピーダンス調整された長さとなる。
【００３５】
平衡側共振電極ＳＬ２ａおよびＳＬ２ｂと、段数構成共振電極ＳＬ３ａおよびＳＬ３ｂとは、各共振器の開放端と短絡端とが同方向に向いたコムライン配置で構成され、インピーダンス素子Ｚを介して開放端側で相互に接続される。そして、これら開放端側が平衡端子Ｚ<SUB>ＢＬａ</SUB>およびＺ<SUB>ＢＬｂ</SUB>に接続される。
【００３６】
このように構成することにより、各共振器と隣接する共振器との間で電磁界結合が生じ、その結果、不平衡側共振電極ＳＬ１ａおよびＳＬ１ｂと平衡側共振電極ＳＬ２ａおよびＳＬ２ｂとの結合によってバラン部が形成され、平衡側共振電極ＳＬ２ａおよびＳＬ２ｂと段数構成共振電極ＳＬ３ａおよびＳＬ３ｂとの結合によってフィルタ部が形成される。
【００３７】
その結果、平衡側共振電極ＳＬ２ａおよびＳＬ２ｂがバラン部とフィルタ部とで共用された構造でバラン機能とフィルタ機能を得ることができるため、構造が簡単で小型・低価格のバランスフィルタを実現することができる。
【００３８】
図２は、図１に示したバランスフィルタを多段で構成した場合の例を示す等価回路図である。同図に示すように、図１に示したバランスフィルタのフィルタ機能を強化したい場合には、段数構成共振電極ＳＬ４ａおよびＳＬ４ｂ〜ＳＬＮａおよびＳＬＮｂをインピーダンス素子Ｚを介して多段配置しても良い。
【００３９】
図３は、図１に示したバランスフィルタの短絡端と開放端の向きを変更した場合を例を示す等価回路図である。同図に示すように、平衡側共振電極ＳＬ２ａとＳＬ２ｂとを該各共振電極の接続点で短絡するとともに該各共振電極の外側で平衡端子Ｚ<SUB>ＢＬａ</SUB>およびＺ<SUB>ＢＬｂ</SUB>と接続する構成としても良い。この場合は、段数構成共振電極も平衡側共振電極に対応してＳＬ３ａとＳＬ３ｂとの接続点で短絡し、該各共振電極の外側でインピーダンス素子Ｚを介して平衡側共振電極と結合させる。
【００４０】
図４は、本実施形態に係るバランスフィルタが組み込まれるＲＦフロントエンド部の構成を示す回路ブロック図である。同図に示す無線通信回路は、送信経路ＴＸと受信経路ＲＸの双方にバランスフィルタ（Ｂａｌａｎｃｅｄ  Ｆｉｌｔｅｒ）を組み込み、送信経路ＴＸ側に配置したバランスフィルタにＤＣ電源を供給した例である。
【００４１】
同図に示すように、この無線通信回路１４は、電波の送受信を行うアンテナ（ＡＮＴ）と、送信経路ＴＸと受信経路ＲＸの切替を行う高周波スイッチ（ＲＦ−ＳＷ）と、送信経路ＴＸの信号を増幅するパワーアンプ（ＰＡ）と、受信経路ＲＸの信号を増幅するローノイズアンプ（ＬＮＡ）と、送信経路ＴＸおよび受信経路ＲＸのそれぞれに配置されたバランスフィルタ（Ｂａｌａｎｃｅｄ  Ｆｉｌｔｅｒ）と、高周波信号の生成や処理を行う集積回路（ＲＦ−ＩＣ）とから構成される。尚、送信経路ＴＸと受信経路ＲＸの切替は、集積回路（ＲＦ−ＩＣ）の制御ポート（ＣＯＮＴ）から出力される信号によって行われる。
【００４２】
アンテナ（ＡＮＴ）が受信した信号は、高周波スイッチ（ＲＦ−ＳＷ）、ローノイズアンプ（ＬＮＡ）を経由して、ＧＮＤ電位を基準とした不平衡信号の形でバランスフィルタ（Ｂａｌａｎｃｅｄ  Ｆｉｌｔｅｒ）に入力され、このバランスフィルタによって不平衡信号が１８０°の位相差を有する平衡信号に変換され、集積回路（ＲＦ−ＩＣ）の受信ポートＲＸに入力される。
【００４３】
一方、集積回路（ＲＦ−ＩＣ）が生成した送信信号は、平衡信号の形で送信ポートＴＸから送信用のバランスフィルタ（Ｂａｌａｎｃｅｄ  Ｆｉｌｔｅｒ）に入力され、このバランスフィルタによって、ＤＣバイアスが平衡端子に印加された状態で平衡信号が不平衡信号に変換され、パワーアンプ（ＰＡ）、高周波スイッチ（ＲＦ−ＳＷ）を経由して、アンテナ（ＡＮＴ）から放出される。
【００４４】
尚、同図に示す例では、送信経路ＴＸに配置したバランにＤＣ信号を加える構成について説明したが、無線通信回路の仕様に応じて、受信経路ＲＸ側にＤＣ信号を加える構成としても良く、また、送信および受信のいずれの経路にもＤＣ信号を加えない構成としても良い。
【００４５】
図５は、図４に示した送信側バランスフィルタの等価回路を示す回路ブロック図である。同図に示すように、ＤＣ信号が供給される送信側のバランスフィルタは、不平衡側の共振電極を構成するストリップライン共振器ＳＬ１ａおよびＳＬ１ｂと、平衡側の共振電極を構成するストリップライン共振器ＳＬ２ａおよびＳＬ２ｂと、帯域制御用の共振電極ＳＬ３ａおよびＳＬ３ｂと、交流信号バイパス用のコンデンサＣ１およびＣ２とから構成され、図４に示したパワーアンプ（ＰＡ）とは、不平衡端子Ｚ<SUB>ＵＢ</SUB>を介して不平衡端子側で接続され、集積回路（ＲＦ−ＩＣ）とは、平衡端子Ｚ<SUB>ＢＬａ</SUB>およびＺ<SUB>ＢＬｂ</SUB>を介して平衡端子側で接続される。
【００４６】
図６は、図４に示した受信側バランスフィルタの等価回路を示す回路ブロック図である。同図に示すように、この受信側のバランスフィルタは、図５に示した送信側のバランスフィルタからＤＣ供給部分を省略した構成を有し、送信側バランスフィルタの交流信号のバイパス用コンデンサＣ１およびＣ２に替えて、特性調整用コンデンサＣ３を備えた構造を有する。
【００４７】
図７は、本実施形態に係るバランスフィルタの外観構造を示す斜視図である。同図に示すように、このバランスフィルタ１０は、外部端子電極として、不平衡端子５１０と、平衡端子５１２ａ、５１２ｂと、ＤＣ端子５１４と、ＧＮＤ端子５１６ａ、５１６ｂ、５１６ｃとを備える。尚、図中「ＮＣ］で示した端子は非接続端子となるが、内部に形成される不平衡側共振電極は、このＮＣ端子と不平衡端子５１０との間で対称形状で形成されているため、不平衡端子５１０とＮＣ端子とは置き換えて使用することが可能である。
【００４８】
図８は、図７に示したバランスフィルタのＡ−Ａ’視図を示す断面図である。同図に示すように、このバランスフィルタは、ＧＮＤ端子５１６ａ、５１６ｂに接続されたＧＮＤ電極１１２−１とＧＮＤ電極１１２−２と間に、誘電体層上に形成された不平衡側共振電極１０２と、平衡側共振電極１０４と、段数構成共振電極１０８と、ＤＣ電極１１０とが積層配置されたストリップライン構造を有する。
【００４９】
ここで、不平衡側共振電極１０２と平衡側共振電極１０４とは、誘電体層を介して互いに隣接対向関係となる位置に形成され、これらの結合によってバラン部が構成される。
【００５０】
また、平衡側共振電極１０４と段数構成共振電極１０８とは、誘電体層を介して互いに隣接対向関係となる位置に形成されるとともに、これらの間に結合電極１０６−１および１０６−２を介在させることで、平衡側共振電極１０４と段数構成共振電極１０８とが結合された構造となり、これらの結合によってフィルタ部が構成される。
【００５１】
また、段数構成共振電極１０８とＧＮＤ電極１１２−２との間には、ＤＣ端子５１４に接続されたＤＣ電極１１０が配置され、このＤＣ電極は、段数構成共振電極１０８とＧＮＤ電極１１２−２との間に生じる容量結合を伴ってＤＣ供給層として機能する。
【００５２】
尚、不平衡側共振電極１０２は、不平衡端子５１０に接続され、平衡端子側共振電極１０４は、図７に示した不平衡端子５１２ａ、５１２ｂに接続され、ＧＮＤ電極１１２−１および１１２−２は、ＧＮＤ端子５１６ａ、５１６ｂ、５１６ｃに接続され、ＤＣ電極１１０は、ＤＣ端子５１４に接続される。
【００５３】
図９は、図８に示したバランスフィルタの各層における電極の構成を示す第１の分解平面図である。同図（ａ）に示すように、第１の誘電体層２０−１上には、非接続端子ＮＣと、ＤＣ端子５１４と、不平衡端子５１０と、平衡端子５１２ａおよび５１２ｂと、ＧＮＤ端子５１６ａ〜５１６ｃとが形成され、これらにより本バランスフィルタの天面が構成される。
【００５４】
また、同図（ｂ）に示すように、第２の誘電体層２０−２上には、ＧＮＤ電極１１２−１が前述のＧＮＤ端子５１６ａ〜５１６ｃと接した状態で形成され、この第２の誘電体層２０−２が同図（ａ）に示した第１の誘電体層２０−１の下層に配置される。
【００５５】
図１０は、図８に示したバランスフィルタの各層における電極の構成を示す第２の分解平面図である。同図（ａ）に示すように、第３の誘電体層２０−３上には、λ／２の長さを有する不平衡側共振電極１０２が前述のＮＣ端子と不平衡端子５１０に接続された状態で形成され、この第３の誘電体層２０−３が前図（ｂ）に示した第２の誘電体層２０−２の下層に配置される。
【００５６】
また、同図（ｂ）に示すように、第４の誘電体層２０−４上には、前述のＤＣ端子５１４からλ／４の長さでそれぞれ延伸形成された２つのストリップラインから成る平衡側共振電極１０４が形成され、この第４の誘電体層２０−４が同図（ａ）に示した第３の誘電体層２０−３の下層に配置される。
【００５７】
図１１は、図８に示したバランスフィルタの各層における電極の構成を示す第３の分解平面図である。同図（ａ）に示すように、第５の誘電体層２０−５上には、前述の平衡端子５１２ａおよび５１２ｂにそれぞれ接続された結合電極１０６−１および１０６−２が形成され、この第５の誘電体層２０−５が前図（ｂ）に示した第４の誘電体層２０−４の下層に配置される。
【００５８】
また、同図（ｂ）に示すように、第６の誘電体層２０−６上には、前述のＤＣ端子５１４からλ／４±αの長さでそれぞれ延伸形成された２つのストリップラインから成る段数構成共振電極１０８が前述の平衡端子５１２ａおよび５１２ｂに接続された状態で形成され、この第６の誘電体層２０−６が同図（ａ）に示した第５の誘電体層２０−５の下層に配置される。
【００５９】
図１２は、図８に示したバランスフィルタの各層における電極の構成を示す第４の分解平面図である。同図（ａ）に示すように、第７の誘電体層２０−７上には、前述のＤＣ端子５１４に接続されたＤＣ電極１１０が形成され、この第７の誘電体層２０−７が前図（ｂ）に示した第６の誘電体層２０−６の下層に配置される。
【００６０】
また、同図（ｂ）に示すように、第８の誘電体層２０−８上には、前述のＧＮＤ端子５１６ａ〜５１６ｃにそれぞれ接続されたＧＮＤ電極１１２−２が形成され、この第８の誘電体層２０−８が同図（ａ）に示した第７の誘電体層２０−７の下層に配置される。
【００６１】
図１３は、図８に示したバランスフィルタの各層における電極の構成を示す第５の分解平面図である。同図に示すように、第９の誘電体層２０−９上には、平衡端子５１２ａおよび５１２ｂと、ＧＮＤ端子５１６ａ〜５１６ｃと、非接続端子ＮＣと、ＤＣ端子５１４と、不平衡端子５１０とが形成され、これらにより本バランスフィルタの底面が構成される。この第９の誘電体層２０−９は、前図（ｂ）に示した第８の誘電体層２０−８の下層に配置される。
【００６２】
尚、上述した各誘電体層２０−１〜２０−９は、積層・焼成工程を経て一体形成され、複数の誘電体層により構成された積層型のバランスフィルタとして完成する。尚、図中５１０〜５１６の符号で示した各外部電極端子は、積層・焼成後に塗布やメッキで形成することが望ましく、また、上述した各誘電体層２０−１〜２０−９の間には他の中間層を介在させてもよい。
【００６３】
図１４は、図８に示したバランスフィルタの等価回路を示す回路図である。同図に示すように、本バランスフィルタは、不平衡側共振電極１０２によってストリップライン共振器ＳＬ１ａおよびＳＬ１ｂが形成され、平衡側共振電極１０４によってストリップライン共振器ＳＬ２ａおよびＳＬ２ｂが形成され、段数構成共振電極１０８によってストリップライン共振器ＳＬ３ａおよびＳＬ３ｂが形成される。
【００６４】
そして、結合電極１０６−１および１０６−２の介在によって、平衡側ストリップラインＳＬ２ａおよびＳＬ２ｂと帯域制御ストリップラインＳＬ３ａおよびＳＬ３ｂとの間には、容量結合成分ＣａおよびＣｂがそれぞれ形成され、不平衡側ストリップラインＳＬ１ａおよびＳＬ１ｂと帯域制御ストリップラインＳＬ３ａおよびＳＬ３ｂとの間には、それぞれ容量性のマルチパス結合ＣｃおよびＣｄが形成される。
【００６５】
また、ＤＣ電極１１０の介在によって、該ＤＣ電極１１０とＧＮＤ電極１１２−２との間に容量結合Ｃｅが形成され、この容量結合Ｃｅが交流信号バイパス用のコンデンサとして機能する。
【００６６】
図１５は、図８に示したバランスフィルタの減衰および反射特性を示す特性図である。同図に示すように、図８に示したバランスフィルタの減衰特性は、極Ｔ１とＴ２とを備えた高減衰の帯域通過特性となり、不平衡側から見た反射特性Ｒ<SUB>ＵＢ</SUB>と平衡側から見た反射特性Ｒ<SUB>ＢＬ</SUB>とは、いずれも良好な特性が得られている。
【００６７】
図１６は、図８に示したバランスフィルタの位相バランスを示す特性図である。同図に示すように、図８に示したバランスフィルタでは、通過帯域内で良好な位相バランスが得られている。
【００６８】
図１７は、図８に示したバランスフィルタの振幅バランスを示す特性図である。同図に示すように、図８に示したバランスフィルタでは、通過帯域内で良好な振幅バランスが得られている。
【００６９】
図１８は、図８に示したバランスフィルタの変形例を示す断面図である。同図に示すバランスフィルタは、図８に示した構成に加えて、ＧＮＤ電極１１２−１と不平衡側共振電極１０２との間に第２の結合電極１１４−１および１１４−２を設けるとともに、平衡側共振電極１０４と段数構成共振電極１０８との対向関係を部分対向とした場合の構成例である。その他の構成は図８に示したバランスフィルタと同様である。
【００７０】
図１９は、図１８に示したバランスフィルタの各層における電極の構成を示す第１の分解平面図である。同図（ａ）に示すように、第１の誘電体層２０−１上には、非接続端子ＮＣと、ＤＣ端子５１４と、不平衡端子５１０と、平衡端子５１２ａおよび５１２ｂと、ＧＮＤ端子５１６ａ〜５１６ｃとが形成され、これらにより本バランスフィルタの天面が構成される。
【００７１】
また、同図（ｂ）に示すように、第２の誘電体層２０−２上には、ＧＮＤ電極１１２−１が前述のＧＮＤ端子５１６ａ〜５１６ｃと接した状態で形成され、この第２の誘電体層２０−２が同図（ａ）に示した第１の誘電体層２０−１の下層に配置される。
【００７２】
図２０は、図１８に示したバランスフィルタの各層における電極の構成を示す第２の分解平面図である。同図に示すように、第３の誘電体層２０−３上には、前述の平衡端子５１２ａおよび５１２ｂにそれぞれ接続された第２の結合電極１１４−１および１１４−２が形成され、この第３の誘電体層２０−３が前図（ｂ）に示した第２の誘電体層２０−２の下層に配置される。
【００７３】
図２１は、図１８に示したバランスフィルタの各層における電極の構成を示す第３の分解平面図である。同図（ａ）に示すように、第４の誘電体層２０−４上には、λ／２の長さを有する不平衡側共振電極１０２が前述のＮＣ端子と不平衡端子５１０に接続された状態で形成され、この第４の誘電体層２０−４が前図に示した第３の誘電体層２０−３の下層に配置される。
【００７４】
また、同図（ｂ）に示すように、第５の誘電体層２０−５上には、前述のＤＣ端子５１４からλ／４の長さでそれぞれ延伸形成された２つのストリップラインから成る平衡側共振電極１０４が形成され、この第５の誘電体層２０−５が同図（ａ）に示した第４の誘電体層２０−４の下層に配置される。
【００７５】
図２２は、図８に示したバランスフィルタの各層における電極の構成を示す第４の分解平面図である。同図（ａ）に示すように、第６の誘電体層２０−６上には、前述の平衡端子５１２ａおよび５１２ｂにそれぞれ接続された結合電極１０６−１および１０６−２が形成され、この第６の誘電体層２０−６が前図（ｂ）に示した第５の誘電体層２０−５の下層に配置される。
【００７６】
また、同図（ｂ）に示すように、第７の誘電体層２０−７上には、前述のＤＣ端子５１４からλ／４±αの長さでそれぞれ延伸形成された２つのストリップラインから成る段数構成共振電極１０８が前述の平衡端子５１２ａおよび５１２ｂに接続された状態で形成され、この第６の誘電体層２０−７が同図（ａ）に示した第６の誘電体層２０−６の下層に配置される。ここで、この段数構成共振電極１０８と前述の平衡側共振電極１０４とは、部分的に対向した構造で積層配置される。
【００７７】
図２３は、図８に示したバランスフィルタの各層における電極の構成を示す第５の分解平面図である。同図（ａ）に示すように、第８の誘電体層２０−８上には、前述のＤＣ端子５１４に接続されたＤＣ電極１１０が形成され、この第８の誘電体層２０−８が前図（ｂ）に示した第７の誘電体層２０−７の下層に配置される。
【００７８】
また、同図（ｂ）に示すように、第９の誘電体層２０−９上には、前述のＧＮＤ端子５１６ａ〜５１６ｃにそれぞれ接続されたＧＮＤ電極１１２−２が形成され、この第９の誘電体層２０−９が同図（ａ）に示した第８の誘電体層２０−８の下層に配置される。
【００７９】
図２４は、図８に示したバランスフィルタの各層における電極の構成を示す第６の分解平面図である。同図に示すように、第１０の誘電体層２０−１０上には、平衡端子５１２ａおよび５１２ｂと、ＧＮＤ端子５１６ａ〜５１６ｃと、非接続端子ＮＣと、ＤＣ端子５１４と、不平衡端子５１０とが形成され、これらにより本バランスフィルタの底面が構成される。この第１０の誘電体層２０−１０は、前図（ｂ）に示した第９の誘電体層２０−９の下層に配置される。
【００８０】
尚、上述した各誘電体層２０−１〜２０−１０は、積層・焼成工程を経て一体形成され、複数の誘電体層により構成された積層型のバランスフィルタとして完成する。尚、図中５１０〜５１６の符号で示した各外部電極端子は、積層・焼成後に塗布やメッキで形成することが望ましく、また、上述した各誘電体層２０−１〜２０−１０の間には他の中間層を介在させてもよい。
【産業上の利用可能性】
【００８１】
本発明によれば、簡易な構造で高減衰のバランスフィルタが実現できるため、より小型化が要求される無線通信機器への適用が期待される。
【図面の簡単な説明】
【００８２】
【図１】本実施形態に係るバランスフィルタの特徴を示す等価回路図である。
【図２】図１に示したバランスフィルタを多段で構成した場合の例を示す等価回路図である。
【図３】図１に示したバランスフィルタの短絡端と開放端の向きを変更した場合を例を示す等価回路図である。
【図４】本実施形態に係るバランスフィルタが組み込まれるＲＦフロントエンド部の構成を示す回路ブロック図である。
【図５】図４に示した送信側バランスフィルタの等価回路を示す回路ブロック図である。
【図６】図４に示した受信側バランスフィルタの等価回路を示す回路ブロック図である。
【図７】本実施形態に係るバランスフィルタの外観構造を示す斜視図である。
【図８】図７に示したバランスフィルタのＡ−Ａ’視図を示す断面図である。
【図９】図８に示したバランスフィルタの各層における電極の構成を示す第１の分解平面図である。
【図１０】図８に示したバランスフィルタの各層における電極の構成を示す第２の分解平面図である。
【図１１】図８に示したバランスフィルタの各層における電極の構成を示す第３の分解平面図である。
【図１２】図８に示したバランスフィルタの各層における電極の構成を示す第４の分解平面図である。
【図１３】図８に示したバランスフィルタの各層における電極の構成を示す第５の分解平面図である。
【図１４】図８に示したバランスフィルタの等価回路を示す回路図である。
【図１５】図８に示したバランスフィルタの減衰および反射特性を示す特性図である。
【図１６】図８に示したバランスフィルタの位相バランスを示す特性図である。
【図１７】図８に示したバランスフィルタの振幅バランスを示す特性図である。
【図１８】図８に示したバランスフィルタの変形例を示す断面図である。
【図１９】図１８に示したバランスフィルタの各層における電極の構成を示す第１の分解平面図である。
【図２０】図１８に示したバランスフィルタの各層における電極の構成を示す第２の分解平面図である。
【図２１】図１８に示したバランスフィルタの各層における電極の構成を示す第３の分解平面図である。
【図２２】図１８に示したバランスフィルタの各層における電極の構成を示す第４の分解平面図である。
【図２３】図１８に示したバランスフィルタの各層における電極の構成を示す第５の分解平面図である。
【図２４】図１８に示したバランスフィルタの各層における電極の構成を示す第６の分解平面図である。
【符号の説明】
【００８３】
１０…バランスフィルタ、１４…無線通信回路、２０…誘電体基板、１０２…不平衡側共振電極、１０４…平衡側共振電極、１０６…結合電極、１０８…段数構成共振電極、１１０…ＤＣ電極、１１２…ＧＮＤ電極、１１４…第２の結合電極、５１０…不平衡端子、５１２…平衡端子、５１４…ＤＣ端子、５１６…ＧＮＤ端子
【図１】
2006108814.tif 000003
【図２】
2006108814.tif 000004
【図３】
2006108814.tif 000005
【図４】
2006108814.tif 000006
【図５】
2006108814.tif 000007
【図６】
2006108814.tif 000008
【図７】
2006108814.tif 000009
【図８】
2006108814.tif 000010
【図９】
2006108814.tif 000011
【図１０】
2006108814.tif 000012
【図１１】
2006108814.tif 000013
【図１２】
2006108814.tif 000014
【図１３】
2006108814.tif 000015
【図１４】
2006108814.tif 000016
【図１５】
2006108814.tif 000017
【図１６】
2006108814.tif 000018
【図１７】
2006108814.tif 000019
【図１８】
2006108814.tif 000020
【図１９】
2006108814.tif 000021
【図２０】
2006108814.tif 000022
【図２１】
2006108814.tif 000023
【図２２】
2006108814.tif 000024
【図２３】
2006108814.tif 000025
【図２４】
2006108814.tif 000026